(57)【特許請求の範囲】
【請求項１】
無線通信システムにおいて第１端末のＤ２Ｄ同期信号（Ｄｅｖｉｃｅ−ｔｏ−Ｄｅｖｉｃｅ  Ｓｙｎｃｈｒｏｎｉｚａｔｉｏｎ  Ｓｉｇｎａｌ）を送信する方法であって、
Ｄ２Ｄ同期信号周期のための少なくとも一つの候補値を設定するステップと、
前記少なくとも一つの候補値から、第２端末とのＤ２Ｄ信号送受信のための前記Ｄ２Ｄ同期信号周期を決定するステップと、
前記Ｄ２Ｄ同期信号周期が前記少なくとも一つの候補値のうちの最小値として決定される場合にのみ、Ｄ２Ｄ同期化チャネルを前記第２端末に送信するステップと、
を有する、Ｄ２Ｄ同期信号送信方法。
【請求項２】
前記少なくとも一つの候補値は、４０ｍｓを含む、請求項１に記載のＤ２Ｄ同期信号送信方法。
【請求項３】
前記少なくとも一つの候補値は、スケジュールリング割り当てチャネル、Ｄ２Ｄデータチャネル及びディスカバリチャネルの少なくとも一つと関連した周期候補値を含む、請求項２に記載のＤ２Ｄ同期信号送信方法。
【請求項４】
Ｄ２Ｄ通信（Ｄｅｖｉｃｅ−ｔｏ−Ｄｅｖｉｃｅ  ｃｏｍｍｕｎｉｃａｔｉｏｎ）を行うステップをさらに有し、
前記Ｄ２Ｄ同期信号周期は、前記Ｄ２Ｄ通信を行う場合、前記少なくとも一つの候補値のうちの最小値と決定される、請求項１に記載のＤ２Ｄ同期信号送信方法。
【請求項５】
前記Ｄ２Ｄ同期信号周期が前記少なくとも一つの候補値のうちの最小値と決定される時、前記Ｄ２Ｄ同期信号周期は、複数のＤ２Ｄ同期信号リソースを含むように設定される、請求項１に記載のＤ２Ｄ同期信号送信方法。
【請求項６】
無線通信システムにおいてＤ２Ｄ同期信号（Ｄｅｖｉｃｅ−ｔｏ−Ｄｅｖｉｃｅ  Ｓｙｎｃｈｒｏｎｉｚａｔｉｏｎ  Ｓｉｇｎａｌ）を送信する第１端末であって、
無線周波数ユニット（ＲＦ  ｕｎｉｔ）と、
プロセッサと、
を備え、
前記プロセッサは、
Ｄ２Ｄ同期信号周期のための少なくとも一つの候補値を設定し、前記少なくとも一つの候補値から、第２端末とのＤ２Ｄ信号送受信のための前記Ｄ２Ｄ同期信号周期を決定し、前記Ｄ２Ｄ同期信号周期が前記少なくとも一つの候補値のうちの最小値として決定される場合にのみ、Ｄ２Ｄ同期化チャネルを前記第２端末に送信するように構成された、第１端末。
【請求項７】
前記少なくとも一つの候補値は、４０ｍｓを含む、請求項６に記載の第１端末。
【請求項８】
前記少なくとも一つの候補値は、スケジュールリング割り当てチャネル、Ｄ２Ｄデータチャネル及びディスカバリチャネルの少なくとも一つと関連した周期候補値を含む、請求項７に記載の第１端末。
【請求項９】
前記プロセッサは、Ｄ２Ｄ通信（Ｄｅｖｉｃｅ−ｔｏ−Ｄｅｖｉｃｅ  ｃｏｍｍｕｎｉｃａｔｉｏｎ）を行うようにさらに構成され、
前記Ｄ２Ｄ同期信号周期は、前記Ｄ２Ｄ通信を行う場合、前記少なくとも一つの候補値のうちの最小値と決定される、請求項６に記載の第１端末。
【請求項１０】
前記Ｄ２Ｄ同期信号周期が前記少なくとも一つの候補値のうちの最小値と決定される時、前記Ｄ２Ｄ同期信号周期は、複数のＤ２Ｄ同期信号リソースを含むように設定される、請求項６に記載の第１端末。
【発明の詳細な説明】
【技術分野】
【０００１】
本発明は、無線通信システムに関し、特に、無線通信システムにおいてＤ２Ｄ（Ｄｅｖｉｃｅ−ｔｏ−Ｄｅｖｉｃｅ）通信のための同期信号を送信する方法及びそのための装置に関する。
【背景技術】
【０００２】
本発明を適用できる無線通信システムの一例として、３ＧＰＰ ＬＴＥ（３ｒｄ  Ｇｅｎｅｒａｔｉｏｎ  Ｐａｒｔｎｅｒｓｈｉｐ  Ｐｒｏｊｅｃｔ  Ｌｏｎｇ  Ｔｅｒｍ  Ｅｖｏｌｕｔｉｏｎ；以下、「ＬＴＥ」という。）通信システムについて概略的に説明する。
【０００３】
図１は、無線通信システムの一例としてＥ−ＵＭＴＳネットワーク構造を概略的に示す図である。Ｅ−ＵＭＴＳ（Ｅｖｏｌｖｅｄ  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）は、既存のＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）から進展したシステムであり、現在３ＧＰＰで基礎的な標準化作業が進行中である。一般に、Ｅ−ＵＭＴＳをＬＴＥ（Ｌｏｎｇ  Ｔｅｒｍ  Ｅｖｏｌｕｔｉｏｎ）システムと呼ぶこともできる。ＵＭＴＳ及びＥ−ＵＭＴＳの技術規格（ｔｅｃｈｎｉｃａｌ  ｓｐｅｃｉｆｉｃａｔｉｏｎ）の詳細な内容はそれぞれ、「３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ」のＲｅｌｅａｓｅ ７及びＲｅｌｅａｓｅ ８を参照することができる。
【０００４】
図１を参照すると、Ｅ−ＵＭＴＳは、端末（Ｕｓｅｒ  Ｅｑｕｉｐｍｅｎｔ；ＵＥ）、基地局（ｅＮｏｄｅＢ；ｅＮＢ）、及びネットワーク（Ｅ−ＵＴＲＡＮ）の終端に位置して外部ネットワークに接続するアクセスゲートウェイ（Ａｃｃｅｓｓ  Ｇａｔｅｗａｙ；ＡＧ）を含んでいる。基地局は、ブロードキャストサービス、マルチキャストサービス及び／又はユニキャストサービスのために多重データストリームを同時に送信することができる。
【０００５】
一つの基地局には一つ以上のセルが存在する。セルは、１．４４、３、５、１０、１５、２０ＭＨｚなどの帯域幅のいずれか一つに設定され、複数の端末に下り又は上り送信サービスを提供する。異なったセルは、互いに異なった帯域幅を提供するように設定することができる。基地局は、複数の端末に関するデータ送受信を制御する。下りリンク（Ｄｏｗｎｌｉｎｋ；ＤＬ）データについて、基地局は、下りリンクスケジューリング情報を送信し、該当の端末にデータが送信される時間／周波数領域、符号化、データサイズ、ＨＡＲＱ（Ｈｙｂｒｉｄ  Ａｕｔｏｍａｔｉｃ  Ｒｅｐｅａｔ  ａｎｄ  ｒｅＱｕｅｓｔ）関連情報などを知らせる。また、上りリンク（Ｕｐｌｉｎｋ；ＵＬ）データについて、基地局は、上りリンクスケジューリング情報を該当の端末に送信し、該当の端末が使用可能な時間／周波数領域、符号化、データサイズ、ＨＡＲＱ関連情報などを知らせる。基地局同士の間には、ユーザトラフィック又は制御トラフィックの送信のためのインターフェースを用いることができる。コアネットワーク（Ｃｏｒｅ  Ｎｅｔｗｏｒｋ；ＣＮ）は、ＡＧ、及び端末のユーザ登録などのためのネットワークノードなどで構成することができる。ＡＧは、複数のセルで構成されるＴＡ（Ｔｒａｃｋｉｎｇ  Ａｒｅａ）単位に端末の移動性を管理する。
【０００６】
無線通信技術は、ＷＣＤＭＡに基づいてＬＴＥまで開発されているが、ユーザと事業者の要求と期待は増す一方である。その上、他の無線接続技術の開発が続いており、将来、競争力を持つためには新しい技術進化が要求される。ビット当たりのコストの削減、サービス可用性の増大、柔軟な周波数バンドの使用、単純構造と開放型インターフェース、端末の適度な電力消耗などが要求される。
【０００７】
端末は基地局の無線通信システムの効率的な運用を補助するために、現チャネルの状態情報を基地局に周期的及び／又は非周期的に報告する。このように報告されるチャネルの状態情報は様々な状況を考慮して計算された結果を含み得るため、より効率的な報告方法が要求されているのが実情である。
【発明の概要】
【発明が解決しようとする課題】
【０００８】
上述したような議論に基づき、以下では、無線通信システムにおいてＤ２Ｄ（Ｄｅｖｉｃｅ−ｔｏ−Ｄｅｖｉｃｅ）通信のための同期信号を送信する方法及びそのための装置を提案する。
【０００９】
本発明で遂げようとする技術的課題は上記技術的課題に制限されず、言及していない他の技術的課題は、以下の記載から、本発明の属する技術の分野における通常の知識を有する者に明確に理解されるであろう。
【課題を解決するための手段】
【００１０】
上述した問題点を解決するための本発明の一態様である、無線通信システムにおいて第１端末のＤ２Ｄ同期信号（Ｄｅｖｉｃｅ−ｔｏ−Ｄｅｖｉｃｅ  Ｓｙｎｃｈｒｏｎｉｚａｔｉｏｎ  Ｓｉｇｎａｌ）を送信する方法は、Ｄ２Ｄ同期信号周期のための少なくとも一つの候補値を設定するステップと、前記少なくとも一つの候補値から、第２端末とのＤ２Ｄ信号送受信のためのＤ２Ｄ同期信号周期を決定するステップとを有することを特徴とする。
【００１１】
なお、前記少なくとも一つの候補値は、４０ｍｓを含むことを特徴とする。好ましくは、前記少なくとも一つの候補値は、スケジュールリング割り当てのためのチャネル、Ｄ２Ｄデータチャネル及びディスカバリチャネルの少なくとも一つと関連した周期候補値を含むことを特徴とする。
【００１２】
なお、前記方法は、Ｄ２Ｄ通信（Ｄｅｖｉｃｅ−ｔｏ−Ｄｅｖｉｃｅ  ｃｏｍｍｕｎｉｃａｔｉｏｎ）を行うステップをさらに有し、前記Ｄ２Ｄ同期信号周期は、前記Ｄ２Ｄ通信を行う場合、前記少なくとも一つの候補値のうちの最小値と決定されることを特徴とする。
【００１３】
なお、前記方法は、Ｄ２Ｄ同期化チャネルを送信するステップをさらに有し、前記Ｄ２Ｄ同期化チャネルは、前記Ｄ２Ｄ同期信号周期が前記少なくとも一つの候補値のうちの最小値と決定される場合にのみ、前記第２端末に送信されるように設定されることを特徴とする。
【００１４】
なお、前記Ｄ２Ｄ同期信号周期が前記少なくとも一つの候補値のうちの最小値と決定される場合、前記Ｄ２Ｄ同期信号周期は、複数のＤ２Ｄ同期信号リソースを含むように設定されることを特徴とする。
【００１５】
上述した問題点を解決するための本発明の他の態様である、無線通信システムにおいてＤ２Ｄ同期信号（Ｄｅｖｉｃｅ−ｔｏ−Ｄｅｖｉｃｅ  Ｓｙｎｃｈｒｏｎｉｚａｔｉｏｎ  Ｓｉｇｎａｌ）を送信する第１端末は、無線周波数ユニット（ＲＦ  ｕｎｉｔ）と、プロセッサとを備え、前記プロセッサは、Ｄ２Ｄ同期信号周期のための少なくとも一つの候補値を設定し、前記少なくとも一つの候補値から、第２端末とのＤ２Ｄ信号送受信のためのＤ２Ｄ同期信号周期を決定するように構成されたことを特徴とする。
【発明の効果】
【００１６】
本発明の実施例によれば、無線通信システムにおいてＤ２Ｄ通信のための同期信号の送受信を効率的に行うことができる。
【００１７】
本発明から得られる効果は、以上で言及した効果に制限されず、言及していない他の効果は、以下の記載から、本発明の属する技術の分野における通常の知識を有する者に明確に理解されるであろう。
【図面の簡単な説明】
【００１８】
本発明に関する理解を助けるために詳細な説明の一部として含まれる添付の図面は、本発明に関する実施例を提供し、詳細な説明と共に本発明の技術的思想を説明する。
【図１】無線通信システムの一例としてＥ−ＵＭＴＳネットワーク構造を概略的に例示する図である。
【図２】３ＧＰＰ無線接続網規格に基づく端末とＥ−ＵＴＲＡＮとの無線インターフェースプロトコル（Ｒａｄｉｏ  Ｉｎｔｅｒｆａｃｅ  Ｐｒｏｔｏｃｏｌ）のコントロールプレーン（Ｃｏｎｔｒｏｌ  Ｐｌａｎｅ）及びユーザプレーン（Ｕｓｅｒ  Ｐｌａｎｅ）の構造を例示する図である。
【図３】３ＧＰＰシステムに用いられる物理チャネル及びそれらを用いた一般的な信号伝送方法を例示する図である。
【図４】ＬＴＥシステムで用いられる無線フレームの構造を例示する図である。
【図５】ＬＴＥシステムのＰ−ＢＣＨ（Ｐｒｉｍａｒｙ  ｂｒｏａｄｃａｓｔ  ｃｈａｎｎｅｌ）及びＳＣＨ（Ｓｙｎｃｈｒｏｎｉｚａｔｉｏｎ  ｃｈａｎｎｅｌ）を示す図である。
【図６】同期信号（ｓｙｎｃｈｒｏｎｉｚａｔｉｏｎ  ｓｉｇｎａｌ；ＳＳ）の伝送のための無線フレーム構造を示す図である。
【図７】２次同期信号（ｓｅｃｏｎｄａｒｙ  ｓｙｎｃｈｒｏｎｉｚａｔｉｏｎ  ｓｉｇｎａｌ；ＳＳＳ）の生成方式を説明するための参考図である。
【図８】下りリンクスロットにおけるリソースグリッド（ｒｅｓｏｕｒｃｅ  ｇｒｉｄ）を例示する図である。
【図９】ＬＴＥシステムで用いられる下りリンク無線フレームの構造を例示する図である。
【図１０】ＬＴＥシステムで用いられる上りリンクサブフレームの構造を例示する図である。
【図１１】Ｄ２Ｄ（ＵＥ−ｔｏ−ＵＥ  Ｃｏｍｍｕｎｉｃａｔｉｏｎ）通信を説明するための参考図である。
【図１２】Ｄ２Ｄ通信が行われるシナリオを説明するための参考図である。
【図１３】Ｄ２Ｄ通信に参加する一部のＤ２ＤＵＥがネットワークカバレッジ内に存在し、残りのＤ２ＤＵＥがネットワークのカバレッジ外に存在する場合、Ｄ２Ｄ同期リソースを用いる実施例を示す図である。
【図１４】本発明によって、端末間−Ｄ２ＤＳＳ干渉（Ｉｎｔｅｒ−Ｄ２ＤＳＳ  ｉｎｔｅｒｆｅｒｅｎｃｅ）を回避するための同期リソース選択を行う場合を示す図である。
【図１５】本発明の一実施例に適用可能な基地局及び端末を示す図である。
【発明を実施するための形態】
【００１９】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）などのような様々な無線接続システムに用いることができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）によって具現することができる。ＴＤＭＡは、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ  Ｅｖｏｌｕｔｉｏｎ）のような無線技術によって具現することができる。ＯＦＤＭＡは、ＩＥＥＥ ８０２．１１（Ｗｉ−Ｆｉ）、ＩＥＥＥ ８０２．１６（ＷｉＭＡＸ）、ＩＥＥＥ ８０２−２０、Ｅ−ＵＴＲＡ（Ｅｖｏｌｖｅｄ  ＵＴＲＡ）などのような無線技術によって具現することができる。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（ｌｏｎｇ  ｔｅｒｍ  ｅｖｏｌｕｔｉｏｎ）は、Ｅ−ＵＴＲＡを用いるＥ−ＵＭＴＳ（Ｅｖｏｌｖｅｄ  ＵＭＴＳ）の一部であり、下りリンクでＯＦＤＭＡを採用し、上りリンクでＳＣ−ＦＤＭＡを採用する。ＬＴＥ−Ａ（Ａｄｖａｎｃｅｄ）は、３ＧＰＰ ＬＴＥの進化したバージョンである。
【００２０】
説明を明確にするために、３ＧＰＰ ＬＴＥ／ＬＴＥ−Ａを中心に記述するが、本発明の技術的思想がこれに制限されるわけではない。また、以下の説明で使われる特定用語は、本発明の理解を助けるために提供されるものであり、このような特定用語の使用は、本発明の技術的思想から逸脱しない範囲で他の形態に変更することもできる。
【００２１】
図２は、３ＧＰＰ無線接続ネットワーク規格に基づく端末とＥ−ＵＴＲＡＮ間の無線インターフェースプロトコル（Ｒａｄｉｏ  Ｉｎｔｅｒｆａｃｅ  Ｐｒｏｔｏｃｏｌ）のコントロールプレーン（Ｃｏｎｔｒｏｌ  Ｐｌａｎｅ）及びユーザプレーン（Ｕｓｅｒ  Ｐｌａｎｅ）の構造を示す図である。コントロールプレーンは、端末（Ｕｓｅｒ  Ｅｑｕｉｐｍｅｎｔ；ＵＥ）とネットワークが呼を管理するために用いる制御メッセージが送信される通路を意味する。ユーザプレーンは、アプリケーション層で生成されたデータ、例えば、音声データ又はインターネットパケットデータなどが送信される通路を意味する。
【００２２】
第１層である物理層は、物理チャネル（Ｐｈｙｓｉｃａｌ  Ｃｈａｎｎｅｌ）を用いて上位層に情報伝送サービス（Ｉｎｆｏｒｍａｔｉｏｎ  Ｔｒａｎｓｆｅｒ  Ｓｅｒｖｉｃｅ）を提供する。物理層は上位にある媒体接続制御（Ｍｅｄｉｕｍ  Ａｃｃｅｓｓ  Ｃｏｎｔｒｏｌ）層とは伝送チャネル（Ｔｒａｎｓｐｏｒｔ  Ｃｈａｎｎｅｌ）を介して接続されている。この伝送チャネルを介して媒体接続制御層と物理層間にデータが移動する。送信側の物理層と受信側の物理層間は、物理チャネルを介してデータが移動する。この物理チャネルは、時間と周波数を無線リソースとして用いる。具体的に、物理チャネルは、下りリンクでＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式で変調され、上りリンクでＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式で変調される。
【００２３】
第２層の媒体接続制御（Ｍｅｄｉｕｍ  Ａｃｃｅｓｓ  Ｃｏｎｔｒｏｌ；ＭＡＣ）層は、論理チャネル（Ｌｏｇｉｃａｌ  Ｃｈａｎｎｅｌ）を介して上位層である無線リンク制御（Ｒａｄｉｏ  Ｌｉｎｋ  Ｃｏｎｔｒｏｌ；ＲＬＣ）層にサービスを提供する。第２層のＲＬＣ層は、信頼性あるデータ送信を支援する。ＲＬＣ層の機能は、ＭＡＣ内部の機能ブロックとして具現することもできる。第２層のＰＤＣＰ（Ｐａｃｋｅｔ  Ｄａｔａ  Ｃｏｎｖｅｒｇｅｎｃｅ  Ｐｒｏｔｏｃｏｌ）層は、帯域幅の狭い無線インターフェースでＩＰｖ４やＩＰｖ６のようなＩＰパケットを効率的に送信するために不要の制御情報を減らすヘッダー圧縮（Ｈｅａｄｅｒ  Ｃｏｍｐｒｅｓｓｉｏｎ）機能を果たす。
【００２４】
第３層の最下部に位置している無線リソース制御（Ｒａｄｉｏ  Ｒｅｓｏｕｒｃｅ  Ｃｏｎｔｒｏｌ；ＲＲＣ）層は、コントロールプレーンでのみ定義される。ＲＲＣ層は、無線ベアラー（Ｒａｄｉｏ  Ｂｅａｒｅｒ；ＲＢ）の設定（Ｃｏｎｆｉｇｕｒａｔｉｏｎ）、再設定（Ｒｅ−ｃｏｎｆｉｇｕｒａｔｉｏｎ）及び解除（Ｒｅｌｅａｓｅ）と関連して論理チャネル、伝送チャネル及び物理チャネルの制御を担当する。ＲＢは、端末とネットワーク間のデータ伝達のために第２層によって提供されるサービスを意味する。そのために、端末とネットワークのＲＲＣ層は互いにＲＲＣメッセージを交換する。端末とネットワークのＲＲＣ層間にＲＲＣ接続（ＲＲＣ  Ｃｏｎｎｅｃｔｅｄ）がある場合、端末はＲＲＣ接続状態（Ｃｏｎｎｅｃｔｅｄ  Ｍｏｄｅ）であり、そうでない場合、ＲＲＣ休止状態（Ｉｄｌｅ  Ｍｏｄｅ）である。ＲＲＣ層の上位にあるＮＡＳ（Ｎｏｎ−Ａｃｃｅｓｓ  Ｓｔｒａｔｕｍ）層は、セッション管理（Ｓｅｓｓｉｏｎ  Ｍａｎａｇｅｍｅｎｔ）と移動性管理（Ｍｏｂｉｌｉｔｙ  Ｍａｎａｇｅｍｅｎｔ）などの機能を果たす。
【００２５】
基地局（ｅＮＢ）を構成する一つのセルは、１．４、３、５、１０、１５、２０ＭＨｚなどの帯域幅のいずれか一つに設定され、複数の端末に下り又は上り送信サービスを提供する。異なったセルは異なった帯域幅を提供するように設定することができる。
【００２６】
ネットワークから端末にデータを送信する下り伝送チャネルは、システム情報を送信するＢＣＨ（Ｂｒｏａｄｃａｓｔ  Ｃｈａｎｎｅｌ）、ページングメッセージを送信するＰＣＨ（Ｐａｇｉｎｇ  Ｃｈａｎｎｅｌ）、ユーザトラフィックや制御メッセージを送信する下りＳＣＨ（Ｓｈａｒｅｄ  Ｃｈａｎｎｅｌ）などがある。下りマルチキャスト又は放送サービスのトラフィック又は制御メッセージの場合、下りＳＣＨを介して送信されてもよく、又は別の下りＭＣＨ（Ｍｕｌｔｉｃａｓｔ  Ｃｈａｎｎｅｌ）を介して送信されてもよい。一方、端末からネットワークにデータを送信する上り伝送チャネルには、初期制御メッセージを送信するＲＡＣＨ（Ｒａｎｄｏｍ  Ａｃｃｅｓｓ  Ｃｈａｎｎｅｌ）、ユーザトラフィックや制御メッセージを送信する上りＳＣＨ（Ｓｈａｒｅｄ  Ｃｈａｎｎｅｌ）がある。伝送チャネルの上位に位置しており、伝送チャネルにマップされる論理チャネル（Ｌｏｇｉｃａｌ  Ｃｈａｎｎｅｌ）には、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＣＣＣＨ（Ｃｏｍｍｏｎ  Ｃｏｎｔｒｏｌ  Ｃｈａｎｎｅｌ）、ＭＣＣＨ（Ｍｕｌｔｉｃａｓｔ  Ｃｏｎｔｒｏｌ  Ｃｈａｎｎｅｌ）、ＭＴＣＨ（Ｍｕｌｔｉｃａｓｔ  Ｔｒａｆｆｉｃ  Ｃｈａｎｎｅｌ）などがある。
【００２７】
図３は、３ＧＰＰ ＬＴＥシステムに用いられる物理チャネル及びそれらを用いた一般的な信号送信方法を説明するための図である。
【００２８】
電源が消えた状態で電源がついたり、新しくセルに進入したユーザ機器は、段階Ｓ３０１で、基地局と同期を取るなどの初期セル探索（Ｉｎｉｔｉａｌ  ｃｅｌｌ  ｓｅａｒｃｈ）作業を行う。そのために、ユーザ機器は基地局から１次同期チャネル（Ｐｒｉｍａｒｙ  Ｓｙｎｃｈｒｏｎｉｚａｔｉｏｎ  Ｃｈａｎｎｅｌ、Ｐ−ＳＣＨ）及び２次同期チャネル（Ｓｅｃｏｎｄａｒｙ  Ｓｙｎｃｈｒｏｎｉｚａｔｉｏｎ  Ｃｈａｎｎｅｌ、Ｓ−ＳＣＨ）を受信して基地局と同期を取り、セルＩＤなどの情報を取得する。その後、ユーザ機器は、基地局から物理放送チャネル（Ｐｈｙｓｉｃａｌ  Ｂｒｏａｄｃａｓｔ  Ｃｈａｎｎｅｌ）を受信してセル内放送情報を取得することができる。一方、ユーザ機器は、初期セル探索段階で下りリンク参照信号（Ｄｏｗｎｌｉｎｋ  Ｒｅｆｅｒｅｎｃｅ  Ｓｉｇｎａｌ、ＤＬ ＲＳ）を受信して下りリンクチャネル状態を確認することができる。
【００２９】
初期セル探索を終えたユーザ機器は、段階Ｓ３０２で、物理下りリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）、及び物理下りリンク制御チャネル情報に基づく物理下りリンク共有チャネル（Ｐｈｙｓｉｃａｌ  Ｄｏｗｎｌｉｎｋ  Ｃｏｎｔｒｏｌ  Ｃｈａｎｎｅｌ、ＰＤＳＣＨ）を受信し、より具体的なシステム情報を取得することができる。
【００３０】
その後、ユーザ機器は、基地局への接続を完了するために、段階Ｓ３０３乃至段階Ｓ３０６のようなランダムアクセス手順（Ｒａｎｄｏｍ  Ａｃｃｅｓｓ  Ｐｒｏｃｅｄｕｒｅ）を行うことができる。そのために、ユーザ機器は、物理ランダムアクセスチャネル（Ｐｈｙｓｉｃａｌ  Ｒａｎｄｏｍ  Ａｃｃｅｓｓ  Ｃｈａｎｎｅｌ、ＰＲＡＣＨ）を介してプリアンブル（ｐｒｅａｍｂｌｅ）を送信し（Ｓ３０３）、物理下りリンク制御チャネル及びこれに対応する物理下りリンク共有チャネルを介して、プリアンブルに対する応答メッセージを受信することができる（Ｓ３０４）。競合ベースランダムアクセスの場合、更なる物理ランダムアクセスチャネルの送信（Ｓ３０５）、及び物理下りリンク制御チャネル及びこれに対応する物理下りリンク共有チャネルの受信（Ｓ３０６）のような衝突解決手順（Ｃｏｎｔｅｎｔｉｏｎ  Ｒｅｓｏｌｕｔｉｏｎ  Ｐｒｏｃｅｄｕｒｅ）を行うことができる。
【００３１】
上述したような手順を行ったユーザ機器は、その後、一般的な上りリンク／下りリンク信号送信手順として、物理下りリンク制御チャネル／物理下りリンク共有チャネルの受信（Ｓ３０７）及び物理上りリンク共有チャネル（Ｐｈｙｓｉｃａｌ  Ｕｐｌｉｎｋ  Ｓｈａｒｅｄ  Ｃｈａｎｎｅｌ、ＰＵＳＣＨ）／物理上りリンク制御チャネル（Ｐｈｙｓｉｃａｌ  Ｕｐｌｉｎｋ  Ｃｏｎｔｒｏｌ  Ｃｈａｎｎｅｌ、ＰＵＣＣＨ）の送信（Ｓ３０８）を行うことができる。ユーザ機器が基地局に送信する制御情報を総称して上りリンク制御情報（Ｕｐｌｉｎｋ  Ｃｏｎｔｒｏｌ  Ｉｎｆｏｒｍａｔｉｏｎ、ＵＣＩ）という。ＵＣＩは、ＨＡＲＱ ＡＣＫ／ＮＡＣＫ（Ｈｙｂｒｉｄ  Ａｕｔｏｍａｔｉｃ  Ｒｅｐｅａｔ  ａｎｄ  ｒｅＱｕｅｓｔ  Ａｃｋｎｏｗｌｅｄｇｅｍｅｎｔ／Ｎｅｇａｔｉｖｅ−ＡＣＫ）、ＳＲ（Ｓｃｈｅｄｕｌｉｎｇ  Ｒｅｑｕｅｓｔ）、ＣＳＩ（Ｃｈａｎｎｅｌ  Ｓｔａｔｅ  Ｉｎｆｏｒｍａｔｉｏｎ）などを含む。本明細書で、ＨＡＲＱ ＡＣＫ／ＮＡＣＫは簡単に、ＨＡＲＱ−ＡＣＫ或いはＡＣＫ／ＮＡＣＫ（Ａ／Ｎ）と呼ぶ。ＨＡＲＱ−ＡＣＫは、ポジティブＡＣＫ（簡単に、ＡＣＫ）、ネガティブＡＣＫ（ＮＡＣＫ）、ＤＴＸ及びＮＡＣＫ／ＤＴＸのうち少なくとも一つを含む。ＣＳＩは、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＲＩ（Ｒａｎｋ  Ｉｎｄｉｃａｔｉｏｎ）などを含む。ＵＣＩは、一般にはＰＵＣＣＨを介して送信されるが、制御情報とトラフィックデータとが同時に送信されるべき場合にはＰＵＳＣＨを介して送信されてもよい。また、ネットワークの要請／指示に応じて、ＰＵＳＣＨを介してＵＣＩを非周期的に送信することもできる。
【００３２】
図４は、ＬＴＥシステムで用いられる無線フレームの構造を例示する図である。
【００３３】
図４を参照すると、セルラーＯＦＤＭ無線パケット通信システムにおいて、上りリンク／下りリンクデータパケット送信はサブフレーム（ｓｕｂｆｒａｍｅ）単位になされ、１サブフレームは、複数のＯＦＤＭシンボルを含む一定時間区間と定義される。３ＧＰＰ ＬＴＥ標準では、ＦＤＤ（Ｆｒｅｑｕｅｎｃｙ  Ｄｉｖｉｓｉｏｎ  Ｄｕｐｌｅｘ）に適用可能なタイプ１無線フレーム（ｒａｄｉｏ  ｆｒａｍｅ）構造、及びＴＤＤ（Ｔｉｍｅ  Ｄｉｖｉｓｉｏｎ  Ｄｕｐｌｅｘ）に適用可能なタイプ２の無線フレーム構造を支援する。
【００３４】
図４の（ａ）は、タイプ１無線フレームの構造を例示する。下りリンク無線フレーム（ｒａｄｉｏ  ｆｒａｍｅ）は、１０個のサブフレーム（ｓｕｂｆｒａｍｅ）で構成され、１サブフレームは、時間領域（ｔｉｍｅ  ｄｏｍａｉｎ）で２個のスロット（ｓｌｏｔ）で構成される。１サブフレームを送信するためにかかる時間をＴＴＩ（ｔｒａｎｓｍｉｓｓｉｏｎ  ｔｉｍｅ  ｉｎｔｅｒｖａｌ）という。例えば、１サブフレームの長さを１ｍｓ、１スロットの長さを０．５ｍｓとすることができる。１スロットは時間領域で複数のＯＦＤＭシンボルを含み、周波数領域で複数のリソースブロック（Ｒｅｓｏｕｒｃｅ  Ｂｌｏｃｋ；ＲＢ）を含む。３ＧＰＰ ＬＴＥシステムでは下りリンクでＯＦＤＭＡが用いられるため、ＯＦＤＭシンボルが１シンボル区間を表す。ＯＦＤＭシンボルは、ＳＣ−ＦＤＭＡシンボル又はシンボル区間と呼ぶこともできる。リソース割り当て単位としてのリソースブロック（ＲＢ）は、１スロットで複数個の連続した副搬送波（ｓｕｂｃａｒｒｉｅｒ）を含むことができる。
【００３５】
１スロットに含まれるＯＦＤＭシンボルの数は、ＣＰ（Ｃｙｃｌｉｃ  Ｐｒｅｆｉｘ）の構成（ｃｏｎｆｉｇｕｒａｔｉｏｎ）によって変更可能です。ＣＰには、拡張されたＣＰ（ｅｘｔｅｎｄｅｄ  ＣＰ）と標準ＣＰ（ｎｏｒｍａｌ  ＣＰ）がある。例えば、ＯＦＤＭシンボルが標準ＣＰによって構成された場合、１スロットに含まれるＯＦＤＭシンボルの数は７個であってよい。ＯＦＤＭシンボルが拡張されたＣＰによって構成された場合、１ ＯＦＤＭシンボルの長さが増加することから、１スロットに含まれるＯＦＤＭシンボルの数は、標準ＣＰの場合に比べて少ない。拡張されたＣＰの場合、例えば、１スロットに含まれるＯＦＤＭシンボルの数は６個であってもよい。ユーザ機器が速い速度で移動するなどしてチャネル状態が不安定な場合、シンボル間干渉をより減らすために、拡張されたＣＰを用いることができる。
【００３６】
標準ＣＰが用いられる場合、１スロットは７ ＯＦＤＭシンボルを含むため、１サブフレームは１４ ＯＦＤＭシンボルを含む。このとき、各サブフレームの先頭における最大３個のＯＦＤＭシンボルは、ＰＤＣＣＨ（ｐｈｙｓｉｃａｌ  ｄｏｗｎｌｉｎｋ  ｃｏｎｔｒｏｌ  ｃｈａｎｎｅｌ）に割り当て、残りのＯＦＤＭシンボルは、ＰＤＳＣＨ（ｐｈｙｓｉｃａｌ  ｄｏｗｎｌｉｎｋ  ｓｈａｒｅｄ  ｃｈａｎｎｅｌ）に割り当てることができる。
【００３７】
図４の（ｂ）は、タイプ２無線フレームの構造を例示する。タイプ２無線フレームは、２個のハーフフレーム（ｈａｌｆ  ｆｒａｍｅ）で構成され、各ハーフフレームは、２個のスロットを含む４個の一般サブフレームと、ＤｗＰＴＳ（Ｄｏｗｎｌｉｎｋ  Ｐｉｌｏｔ  Ｔｉｍｅ  Ｓｌｏｔ）、保護区間（Ｇｕａｒｄ  Ｐｅｒｉｏｄ、ＧＰ）及びＵｐＰＴＳ（Ｕｐｌｉｎｋ  Ｐｉｌｏｔ  Ｔｉｍｅ  Ｓｌｏｔ）を含む特別サブフレーム（ｓｐｅｃｉａｌ  ｓｕｂｆｒａｍｅ）とで構成される。
【００３８】
特別サブフレームにおいて、ＤｗＰＴＳは、ユーザ機器における初期セル探索、同期化又はチャネル推定に用いられる。ＵｐＰＴＳは、基地局におけるチャネル推定とユーザ機器の上りリンク送信同期の獲得に用いられる。すなわち、ＤｗＰＴＳは下りリンク送信に、ＵｐＰＴＳは上りリンク送信に用いられ、特に、ＵｐＰＴＳはＰＲＡＣＨプリアンブルやＳＲＳ送信のために用いられる。また、保護区間は、上りリンクと下りリンクの間に下りリンク信号の多重経路遅延によって上りリンクで生じる干渉を除去するための区間である。
【００３９】
【化１】
0006490797.tif 000002
【００４０】
【表１】
0006490797.tif 000003
【００４１】
一方、タイプ２無線フレームの構造、すなわち、ＴＤＤシステムにおいて上りリンク／下りリンクサブフレーム設定（ＵＬ／ＤＬ  ｃｏｎｆｉｇｕｒａｔｉｏｎ）は、下記の表２のとおりである。
【００４２】
【表２】
0006490797.tif 000004
【００４３】
上記の表２で、Ｄは下りリンクサブフレーム、Ｕは上りリンクサブフレームを表し、Ｓは特別サブフレームを意味する。また、上記の表２では、それぞれの上りリンク／下りリンクサブフレーム設定において下りリンク−上りリンクスイッチング周期も表している。
【００４４】
上述した無線フレームの構造は例示に過ぎず、無線フレームに含まれるサブフレームの数、サブフレームに含まれるスロットの数、又はスロットに含まれるシンボルの数は様々に変更されてもよい。
【００４５】
図５には、ＬＴＥシステムのＰ−ＢＣＨ（Ｐｒｉｍａｒｙ  ｂｒｏａｄｃａｓｔ  ｃｈａｎｎｅｌ）及びＳＣＨ（Ｓｙｎｃｈｒｏｎｉｚａｔｉｏｎ  ｃｈａｎｎｅｌ）を例示する。ＳＣＨはＰ−ＳＣＨ及びＳ−ＳＣＨを含む。Ｐ−ＳＣＨ上でＰＳＳ（Ｐｒｉｍａｒｙ  Ｓｙｎｃｈｒｏｎｉｚａｔｉｏｎ  Ｓｉｇｎａｌ）が送信され、Ｓ−ＳＣＨ上でＳＳＳ（Ｓｅｃｏｎｄａｒｙ  Ｓｙｎｃｈｒｏｎｉｚａｔｉｏｎ  Ｓｉｇｎａｌ）が送信される。
【００４６】
図５を参照すると、フレーム構造タイプ−１（すなわち、ＦＤＤ）において、Ｐ−ＳＣＨは毎無線フレームでスロット＃０（すなわち、サブフレーム＃０の１番目のスロット）とスロット＃１０（すなわち、サブフレーム＃５の１番目のスロット）の最後のＯＦＤＭシンボルに位置する。Ｓ−ＳＣＨは毎無線フレームでスロット＃０とスロット＃１０の最後のＯＦＤＭシンボルの直前のＯＦＤＭシンボルに位置する。Ｓ−ＳＣＨとＰ−ＳＣＨは隣接するＯＦＤＭシンボルに位置する。フレーム構造タイプ−２（すなわち、ＴＤＤ）において、Ｐ−ＳＣＨはサブフレーム＃１／＃６の３番目のＯＦＤＭシンボルで送信され、Ｓ−ＳＣＨはスロット＃１（すなわち、サブフレーム＃０の２番目のスロット）とスロット＃１１（すなわち、サブフレーム＃５の２番目のスロット）の最後のＯＦＤＭシンボルに位置する。Ｐ−ＢＣＨはフレーム構造タイプを問わず、毎４個の無線フレームごとに送信され、サブフレーム＃０の２番目のスロットの１番目〜４番目のＯＦＤＭシンボルで送信される。
【００４７】
Ｐ−ＳＣＨは、当該ＯＦＤＭシンボル内でＤＣ（ｄｉｒｅｃｔ  ｃｕｒｒｅｎｔ）副搬送波を中心に７２個の副搬送波（１０個の副搬送波は予備であり、６２個の副搬送波でＰＳＳを送信する。）で送信される。Ｓ−ＳＣＨは、当該ＯＦＤＭシンボル内でＤＣ副搬送波を中心に７２個の副搬送波（１０個の副搬送波は予備であり、６２個の副搬送波でＳＳＳを送信する。）で送信される。Ｐ−ＢＣＨは、１サブフレーム内で４個のＯＦＤＭシンボルとＤＣ副搬送波を中心に７２個の副搬送波にマップされる。
【００４８】
図６には、同期信号（ｓｙｎｃｈｒｏｎｉｚａｔｉｏｎ  ｓｉｇｎａｌ；ＳＳ）の伝送のための無線フレーム構造を例示する。特に、図６は、周波数分割デュプレックス（ｆｒｅｑｕｅｎｃｙ  ｄｉｖｉｓｉｏｎ  ｄｕｐｌｅｘ；ＦＤＤ）において同期信号及びＰＢＣＨの伝送のための無線フレーム構造を例示しているものであり、図６（ａ）は、正規ＣＰ（ｎｏｒｍａｌ  ｃｙｃｌｉｃ  ｐｒｅｆｉｘ）と構成された無線フレームにおいてＳＳ及びＰＢＣＨの伝送位置を示しており、図６（ｂ）は、拡張ＣＰ（ｅｘｔｅｎｄｅｄ  ＣＰ）と構成された無線フレームにおいてＳＳ及びＰＢＣＨの伝送位置を示している。
【００４９】
ＵＥは電源がついたり、新しくセルに進入した場合、上記セルとの時間及び周波数同期をとり、上記セルの物理セル識別子（ｐｈｙｓｉｃａｌ  ｃｅｌｌ  ｉｄｅｎｔｉｔｙ）を検出（ｄｅｔｅｃｔ）するなどのセル探索（ｉｎｉｔｉａｌ  ｃｅｌｌ  ｓｅａｒｃｈ）手順（ｐｒｏｃｅｄｕｒｅ）を行う。そのために、ＵＥはｅＮＢから同期信号、例えば、１次同期信号（Ｐｒｉｍａｒｙ  Ｓｙｎｃｈｒｏｎｉｚａｔｉｏｎ  Ｓｉｇｎａｌ；ＰＳＳ）及び２次同期信号（Ｓｅｃｏｎｄａｒｙ  Ｓｙｎｃｈｒｏｎｉｚａｔｉｏｎ  Ｓｉｇｎａｌ；ＳＳＳ）を受信してｅＮＢと同期をとり、セル識別子（ｉｄｅｎｔｉｔｙ，ＩＤ）などの情報を取得することができる。
【００５０】
図６を参照してＳＳについてより具体的に説明すると、次のとおりである。ＳＳはＰＳＳとＳＳＳとに区別される。ＰＳＳは、ＯＦＤＭシンボル同期、スロット同期などの時間ドメイン同期及び／又は周波数ドメイン同期を得るために用いられ、ＳＳＳは、フレーム同期、セルグループＩＤ及び／又はセルのＣＰ構成（すなわち、正規ＣＰ又は拡張ＣＰの使用情報）を得るために用いられる。図６を参照すると、ＰＳＳとＳＳＳは毎無線フレームの２個のＯＦＤＭシンボルでそれぞれ送信される。具体的に、ＳＳはインター−ＲＡＴ（ｉｎｔｅｒ  ｒａｄｉｏ  ａｃｃｅｓｓ  ｔｅｃｈｎｏｌｏｇｙ）測定の容易さのために、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎ）フレーム長である４．６ｍｓを考慮して、サブフレーム０の１番目のスロットとサブフレーム５の１番目のスロットでそれぞれ送信される。特に、ＰＳＳはサブフレーム０の１番目のスロットの最後のＯＦＤＭシンボルとサブフレーム５の１番目のスロットの最後のＯＦＤＭシンボルでそれぞれ送信され、ＳＳＳはサブフレーム０の１番目のスロットの最後から２番目のＯＦＤＭシンボルとサブフレーム５の１番目のスロットの最後かから２番目ＯＦＤＭシンボルでそれぞれ送信される。当該無線フレームの境界は、ＳＳＳから検出することができる。ＰＳＳは当該スロットの最後のＯＦＤＭシンボルで送信され、ＳＳＳはＰＳＳの直前のＯＦＤＭシンボルで送信される。ＳＳの伝送ダイバーシチ（ｄｉｖｅｒｓｉｔｙ）方式は単一アンテナポート（ｓｉｎｇｌｅ  ａｎｔｅｎｎａ  ｐｏｒｔ）のみを用い、標準では別に定義していない。すなわち、単一アンテナポート伝送或いはＵＥに透明な（ｔｒａｎｓｐａｒｅｎｔ）伝送方式（例、ＰＶＳ（Ｐｒｅｃｏｄｉｎｇ  Ｖｅｃｔｏｒ  Ｓｗｉｔｃｈｉｎｇ）、ＴＳＴＤ（Ｔｉｍｅ  Ｓｗｉｔｃｈｅｄ  Ｄｉｖｅｒｓｉｔｙ）、ＣＤＤ（ｃｙｃｌｉｃ  ｄｅｌａｙ  ｄｉｖｅｒｓｉｔｙ））をＳＳの伝送ダイバーシチのために用いることができる。
【００５１】
ＳＳは、３個のＰＳＳと１６８個のＳＳとの組み合わせによって総５０４個の固有な物理層セル識別子（ｐｈｙｓｉｃａｌ  ｌａｙｅｒ  ｃｅｌｌ  ＩＤ）を示すことができる。言い換えると、これらの物理層セルＩＤは、各物理層セルＩＤが１つだけの物理層セル−識別子グループの部分になるように各グループが３個の固有な識別子を含む１６８個の物理層セル−識別子グループにグループ化される。したがって、物理層セル識別子ＮｃｅｌｌＩＤ＝３Ｎ（１）ＩＤ＋Ｎ（２）ＩＤは、物理層セル−識別子グループを示す０から１６７までの範囲内の番号Ｎ（１）ＩＤと上記物理層セル−識別子グループ内の上記物理層識別子を示す０から２までの番号Ｎ（２）ＩＤによって固有に定義される。ＵＥはＰＳＳを検出して、３個の固有な物理層識別子から一つを識別することができ、ＳＳＳを検出して、上記物理層識別子に関連した１６８個の物理層セルＩＤから一つを識別することができる。長さ６３のＺＣ（Ｚａｄｏｆｆ−Ｃｈｕ）シーケンスが周波数ドメインで定義されてＰＳＳとして用いられる。例えば、ＺＣシーケンスを次式によって定義することができる。
【００５２】
【数１】
0006490797.tif 000005
【００５３】
ここで、ＮＺＣ＝６３であり、ＤＣ副搬送波に該当するシーケンス要素（ｓｅｑｕｅｎｃｅ  ｅｌｅｍｅｎｔ）であるｎ＝３１は穿孔（ｐｕｎｃｔｕｒｉｎｇ）される。
【００５４】
ＰＳＳは、中心周波数に近い６個のＲＢ（＝７２個の副搬送波）にマップされる。上記７２個の副搬送波のうち９個の残る副搬送波は常に０の値を搬送し、これは同期実行のためのフィルター設計が容易になる要素として作用する。総３個のＰＳＳが定義されるように式１でｕ＝２４、２９及び３４が用いられる。ｕ＝２４及びｕ＝３４は共役対称（ｃｏｎｊｕｇａｔｅ  ｓｙｍｍｅｔｒｙ）関係を有するため、２個の相関（ｃｏｒｒｅｌａｔｉｏｎ）が同時に行われ得る。ここで、共役対称とは、次式の関係を意味する。
【００５５】
【数２】
0006490797.tif 000006
【００５６】
共役対称の特性を用いると、ｕ＝２９とｕ＝３４に対するワンショット相関器（ｏｎｅ−ｓｈｏｔ  ｃｏｒｒｅｌａｔｏｒ）を具現することができ、共役対称がない場合に比べて、全演算量を約３３．３％減少させることができる。
【００５７】
さらにいうと、ＰＳＳのために用いられるシーケンスｄ（ｎ）は、周波数ドメインＺＣシーケンスから次式によって生成される。
【００５８】
【数３】
0006490797.tif 000007
【００５９】
ここで、ＺＣルートシーケンスインデックスｕは次表によって与えられる。
【００６０】
【表３】
0006490797.tif 000008
【００６１】
図６を参照すると、ＰＳＳが５ｍｓごとに送信されるため、ＵＥはＰＳＳを検出することによって当該サブフレームがサブフレーム０とサブフレーム５のいずれかであることは分かるが、当該サブフレームがサブフレーム０とサブフレーム５のいずれであるかは具体的に分からない。したがって、ＵＥはＰＳＳだけでは無線フレームの境界を認知することができない。すなわち、ＰＳＳだけではフレーム同期を取ることができない。ＵＥは、１つの無線フレーム内で２回送信されるとともに、異なるシーケンスで送信されるＳＳＳを検出して、無線フレームの境界を検出する。
【００６２】
図７は、２次同期信号（ｓｅｃｏｎｄａｒｙ  ｓｙｎｃｈｒｏｎｉｚａｔｉｏｎ  ｓｉｇｎａｌ；ＳＳＳ）の生成方式を説明するための図である。具体的に、図７は、論理ドメイン（ｌｏｇｉｃａｌ  ｄｏｍａｉｎ）における２個シーケンスが物理ドメインにマップされる関係を示している。
【００６３】
ＳＳＳのために用いられるシーケンスは、２個の長さ３１のｍ−シーケンスのインタリーブされた連結（ｉｎｔｅｒｌｅａｖｅｄ  ｃｏｎｃａｔｅｎａｔｉｏｎ）であり、上記接合されたシーケンスは、ＰＳＳによって与えられるスクランブリングシーケンスによってスクランブルされる。ここで、ｍ−シーケンスはＰＮ（Ｐｓｅｕｄｏ  Ｎｏｉｓｅ）シーケンスの一種である。
【００６４】
図７を参照すると、ＳＳＳ符号生成のために用いられる２個のｍ−シーケンスをそれぞれＳ１、Ｓ２と定義すると、Ｓ１とＳ２は、ＰＳＳベースの異なる２個のシーケンスがＳＳＳにスクランブルされる。このとき、Ｓ１とＳ２は個別のシーケンスによってスクランブルされる。ＰＳＳベースのスクランブリング符号は、ｘ５＋ｘ３＋１の多項式から生成されたｍ−シーケンスを循環遷移して得ることができるが、ＰＳＳインデックスによって６個のシーケンスが上記ｍ−シーケンスの循環遷移によって生成される。その後、Ｓ２はＳ１ベースのスクランブリング符号によってスクランブルされる。Ｓ１ベースのスクランブリング符号は、ｘ５＋ｘ４＋ｘ２＋ｘ１＋１の多項式から生成されたｍ−シーケンスを循環遷移して得ることができるが、Ｓ１のインデックスによって８個のシーケンスが上記ｍ−シーケンスの循環遷移によって生成される。ＳＳＳの符号は、５ｍｓごとに交換（ｓｗａｐ）されるが、ＰＳＳベースのスクランブリング符号は交換されない。例えば、サブフレーム０のＳＳＳが（Ｓ１，Ｓ２）の組み合わせでセルグループ識別子を搬送すると仮定すれば、サブフレーム５のＳＳＳは（Ｓ２，Ｓ１）に交換（ｓｗａｐ）されたシーケンスを搬送する。これによって、１０ｍｓの無線フレーム境界を区別することができる。この時に用いられるＳＳＳ符号は、ｘ５＋ｘ２＋１の多項式から生成され、長さ３１のｍ−シーケンスの異なる循環遷移（ｃｉｒｃｕｌａｒ  ｓｈｉｆｔ）によって総３１個の符号を生成することができる。
【００６５】
ＳＳＳを定義する２個の長さ３１であるｍ−シーケンスの組み合わせ（ｃｏｍｂｉｎａｔｉｏｎ）はサブフレーム０とサブフレーム５において異なり、２個の長さ３１であるｍ−シーケンスの組み合わせによって総１６８個のセルグループ識別子（ｃｅｌｌ  ｇｒｏｕｐ  ＩＤ）が表現される。ＳＳＳのシーケンスとして用いられるｍ−シーケンスは周波数選択的環境で剛健であるという特性がある。また、高速アダマール変換（ｆａｓｔ  Ｈａｄａｒｍａｒｄ  ｔｒａｎｓｆｏｒｍ）を用いた高速ｍ−シーケンス変換によって変換され得るため、ｍ−シーケンスがＳＳＳとして活用されると、ＵＥがＳＳＳを解釈する上で必要な演算量を減らすことができる。また、２個の短い符号（ｓｈｏｒｔ  ｃｏｄｅ）でＳＳＳが構成されるため、ＵＥの演算量を減少させることができる。
【００６６】
さらに具体的にＳＳＳの生成に関して説明すると、ＳＳＳのために用いられるシーケンスｄ（０），．．．，ｄ（６１）は、２個の長さ−３１の二進（ｂｉｎａｒｙ）シーケンスのインタリーブされた連結である。上記連結されたシーケンスは、ＰＳＳによって与えられるスクランブリングシーケンスでスクランブルされる。
【００６７】
ＰＳＳを定義する２個の長さ−３１であるシーケンスの組み合わせは、サブフレーム０とサブフレーム５において次によって異なる。
【００６８】
【数４】
0006490797.tif 000009
【００６９】
ここで、０≦ｎ≦３０である。インデックスｍ０及びｍ１は、物理層セル−識別子グループＮ（１）ＩＤから次によって誘導される。
【００７０】
【数５】
0006490797.tif 000010
【００７１】
式５の出力（ｏｕｔｐｕｔ）は、式１１に続く表４にリストされる。
【００７２】
２個のシーケンスＳ（ｍ０）０（ｎ）及びＳ（ｍ１）１（ｎ）は、次によってｍ−シーケンスｓ（ｎ）の２個の他の循環遷移によって定義される。
【００７３】
【数６】
0006490797.tif 000011
【００７４】
ここで、ｓ（ｉ）＝１−２ｘ（ｉ）（０≦ｉ≦３０）は、初期条件（ｉｎｉｔｉａｌ  ｃｏｎｄｉｔｉｏｎｓ）ｘ（０）＝０、ｘ（１）＝０、ｘ（２）、ｘ（３）＝０、ｘ（４）＝１であり、次の式によって定義される。
【００７５】
【数７】
0006490797.tif 000012
【００７６】
２個のスクランブリングシーケンスｃ０（ｎ）及びｃ１（ｎ）はＰＳＳに依存し、ｍ−シーケンスｃ（ｎ）の２個の異なる循環遷移によって次式によって定義される。
【００７７】
【数８】
0006490797.tif 000013
【００７８】
ここで、Ｎ（２）ＩＤ∈｛０，１，２｝は、物理層セル識別子グループＮ（１）ＩＤ内の物理層識別子であり、ｃ（ｉ）＝１−２ｘ（ｉ）（０≦ｉ≦３０）は、初期条件（ｉｎｉｔｉａｌ  ｃｏｎｄｉｔｉｏｎｓ）ｘ（０）＝０、ｘ（１）＝０、ｘ（２）、ｘ（３）＝０、ｘ（４）＝１であり、次式によって定義される。
【００７９】
【数９】
0006490797.tif 000014
【００８０】
スクランブリングシーケンスＺ（ｍ０）１（ｎ）及びＺ（ｍ１）１（ｎ）は、次式によってｍ−シーケンスｚ（ｎ）の循環遷移によって定義される。
【００８１】
【数１０】
0006490797.tif 000015
【００８２】
ここで、ｍ０及びｍ１は、式１１の次に記載された表４から得られ、ｚ（ｉ）＝１−２ｘ（ｉ）（０≦ｉ≦３０）は、初期条件（ｉｎｉｔｉａｌ  ｃｏｎｄｉｔｉｏｎｓ）ｘ（０）＝０、ｘ（１）＝０、ｘ（２）、ｘ（３）＝０、ｘ（４）＝１であり、次式によって定義される。
【００８３】
【数１１】
0006490797.tif 000016
【００８４】
【表４】
0006490797.tif 000017
【００８５】
ＳＳＳを用いたセル（ｃｅｌｌ）探索過程を行ってＤＬ信号の復調（ｄｅｍｏｄｕｌａｔｉｏｎ）及びＵＬ信号の伝送を正確な時点に行うために必要な時間及び周波数パラメータを決定したＵＥは、上記ｅＮＢと通信するには、上記ｅＮＢから上記ＵＥのシステム構成に必要なシステム情報をさらに取得しなければならない。
【００８６】
システム情報は、マスター情報ブロック（Ｍａｓｔｅｒ  Ｉｎｆｏｒｍａｔｉｏｎ  Ｂｌｏｃｋ；ＭＩＢ）及びシステム情報ブロック（Ｓｙｓｔｅｍ  Ｉｎｆｏｒｍａｔｉｏｎ  Ｂｌｏｃｋｓ；ＳＩＢ）によって構成される。各システム情報ブロックは、機能的に関連したパラメータの集合を含み、含まれるパラメータによってマスター情報ブロック（ＭＩＢ）及びシステム情報ブロックＴＡＩＢ１（Ｓｙｓｔｅｍ  Ｉｎｆｏｒｍａｔｉｏｎ  Ｂｌｏｃｋ  Ｔｙｐｅ  １；ＳＩＢ１）、システム情報ブロックタイプ２（Ｓｙｓｔｅｍ  Ｉｎｆｏｒｍａｔｉｏｎ  Ｂｌｏｃｋ  Ｔｙｐｅ  ２；ＳＩＢ２）、ＳＩＢ３〜ＳＩＢ８に区別される。ＭＩＢは、ＵＥがｅＮＢのネットワーク（ｎｅｔｗｏｒｋ）に初期接続（ｉｎｉｔｉａｌ  ａｃｃｅｓｓ）するのに必須である、最も頻繁に送信されるパラメータを含む。ＳＩＢ１は他のＳＩＢの時間ドメインスケジューリングに関する情報だけでなく、特定セルがセル選択に適したセルであるかを判断するために必要なパラメータを含む。
【００８７】
ＵＥはＭＩＢをブロードキャストチャネル（例、ＰＢＣＨ）で受信することができる。ＭＩＢには下りリンクシステム帯域幅（ｄｌ−Ｂａｎｄｗｉｄｔｈ；ＤＬ  ＢＷ）、ＰＨＩＣＨ構成（ｃｏｎｆｉｇｕｒａｔｉｏｎ）、システムフレームナンバー（ＳＦＮ）が含まれる。したがって、ＵＥはＰＢＣＨを受信することによって明示的（ｅｘｐｌｉｃｉｔ）にＤＬ  ＢＷ、ＳＦＮ、ＰＨＩＣＨ構成に関する情報が分かる。一方、ＰＢＣＨを受信してＵＥが暗黙的（ｉｍｐｌｉｃｉｔ）に分かる情報としてはｅＮＢの伝送アンテナポートの個数がある。ｅＮＢの伝送アンテナの個数に関する情報は、ＰＢＣＨのエラー検出に用いられる１６ビットＣＲＣ（Ｃｙｃｌｉｃ  Ｒｅｄｕｎｄａｎｃｙ  Ｃｈｅｃｋ）に伝送アンテナの個数に対応するシーケンスがマスキング（例、ＸＯＲ演算）されて暗黙的にシグナルされる。
【００８８】
ＰＢＣＨは４０ｍｓにわたって４個のサブフレームにマップされる。４０ｍｓの時間はブラインド検出されるものであり、４０ｍｓの時間に関する明示的なシグナリングは別に存在しない。時間ドメインにおいて、ＰＢＣＨは、無線フレームにおいてサブフレーム０におけるスロット１（サブフレーム０の２番目のスロット）のＯＦＤＭシンボル０〜３で送信される。
【００８９】
周波数ドメインにおいて、ＰＳＳ／ＳＳＳ及びＰＢＣＨは、実際のシステム帯域幅にかかわらず、当該ＯＦＤＭシンボル内でＤＣ副搬送波を中心に左右３個ずつ総６個のＲＢ、すなわち、総７２個の副搬送波でのみ送信される。したがって、ＵＥは、上記ＵＥに構成された下りリンク伝送帯域幅にかかわらずにＳＳ及びＰＢＣＨを検出或いは復号できるように構成される。
【００９０】
初期セル探索を終えてｅＮＢのネットワークに接続したＵＥは、ＰＤＣＣＨ、及び該ＰＤＣＣＨに含まれた情報によってＰＤＳＣＨを受信することによってより具体的なシステム情報を取得することができる。上述したような手順を行ったＵＥは、その後、一般的な上りリンク／下りリンク信号伝送手順としてＰＤＣＣＨ／ＰＤＳＣＨ受信及びＰＵＳＣＨ／ＰＵＣＣＨ伝送を行うことができる。
【００９１】
図８には、下りリンクスロットにおけるリソースグリッド（ｒｅｓｏｕｒｃｅ  ｇｒｉｄ）を例示する。
【００９２】
図８を参照すると、下りリンクスロットは、時間領域でＮＤＬｓｙｍｂのＯＦＤＭシンボルを含み、周波数領域でＮＤＬＲＢのリソースブロックを含む。それぞれのリソースブロックがＮＲＢｓｃの副搬送波を含むため、下りリンクスロットは、周波数領域で ＮＤＬＲＢ×ＮＲＢｓｃの副搬送波を含む。図９は、下りリンクスロットが７個のＯＦＤＭシンボルを含み、リソースブロックが１２個の副搬送波を含む例を示しているが、必ずしもこれに制限されない。例えば、下りリンクスロットに含まれるＯＦＤＭシンボルの個数はサイクリックプレフィックス（Ｃｙｃｌｉｃ  Ｐｒｅｆｉｘ；ＣＰ）の長さによって変形されてもよい。
【００９３】
リソースグリッド上の各要素をリソース要素（Ｒｅｓｏｕｒｃｅ  Ｅｌｅｍｅｎｔ；ＲＥ）とし、１つのリソース要素は、１つのＯＦＤＭシンボルインデックス及び１つの副搬送波インデックスで示される。１つのＲＢは、ＮＤＬｓｙｍｂ×ＮＲＢｓｃのリソース要素で構成されている。下りリンクスロットに含まれるリソースブロックの数（ＮＤＬＲＢ）は、セルで設定される下りリンク伝送帯域幅（ｂａｎｄｗｉｄｔｈ）に従属する。
【００９４】
図９は下りリンクサブフレームの構造を例示する。
【００９５】
図９を参照すると、サブフレームの１番目のスロットで先頭に位置している最大で３（４）個のＯＦＤＭシンボルは、制御チャネルが割り当てられる制御領域に対応する。残りのＯＦＤＭシンボルは、ＰＤＳＣＨ（Ｐｈｙｓｉｃａｌ  Ｄｏｗｎｌｉｎｋ  Ｓｈａｒｅｄ  Ｃｈａｎｎｅｌ）が割り当てられるデータ領域に該当する。ＬＴＥで用いられる下りリンク制御チャネルの例は、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＤＣＣＨ（Ｐｈｙｓｉｃａｌ  Ｄｏｗｎｌｉｎｋ  Ｃｏｎｔｒｏｌ  Ｃｈａｎｎｅｌ）、ＰＨＩＣＨ（Ｐｈｙｓｉｃａｌ  ｈｙｂｒｉｄ  ＡＲＱ  ｉｎｄｉｃａｔｏｒ  Ｃｈａｎｎｅｌ）などがある。ＰＣＦＩＣＨは、サブフレームの最初のＯＦＤＭシンボルで送信され、サブフレーム内で制御チャネルの伝送に用いられるＯＦＤＭシンボルの個数に関する情報を搬送する。ＰＨＩＣＨは、上りリンク伝送に対する応答としてＨＡＲＱ  ＡＣＫ／ＮＡＣＫ（Ｈｙｂｒｉｄ  Ａｕｔｏｍａｔｉｃ  Ｒｅｐｅａｔ  ｒｅｑｕｅｓｔ  ａｃｋｎｏｗｌｅｄｇｍｅｎｔ／ｎｅｇａｔｉｖｅ−ａｃｋｎｏｗｌｅｄｇｍｅｎｔ）信号を搬送する。
【００９６】
ＰＤＣＣＨで送信される制御情報をＤＣＩ（Ｄｏｗｎｌｉｎｋ  Ｃｏｎｔｒｏｌ  Ｉｎｆｏｒｍａｔｉｏｎ）と呼ぶ。ＤＣＩは、ユーザ機器又はユーザ機器グループのためのリソース割り当て情報及び他の制御情報を含む。例えば、ＤＣＩは、上りリンク／下りリンクスケジューリング情報、上りリンク伝送（Ｔｘ）電力制御命令などを含む。
【００９７】
ＰＤＣＣＨは、下りリンク共有チャネル（ｄｏｗｎｌｉｎｋ  ｓｈａｒｅｄ  ｃｈａｎｎｅｌ；ＤＬ−ＳＣＨ）の伝送フォーマット及びリソース割り当て情報、上りリンク共有チャネル（ｕｐｌｉｎｋ  ｓｈａｒｅｄ  ｃｈａｎｎｅｌ；ＵＬ−ＳＣＨ）の伝送フォーマット及びリソース割り当て情報、ページングチャネル（ｐａｇｉｎｇ  ｃｈａｎｎｅｌ；ＰＣＨ）上のページング情報、ＤＬ−ＳＣＨ上のシステム情報、ＰＤＳＣＨ上で送信されるランダム接続応答のような上位層制御メッセージのリソース割り当て情報、ユーザ機器グループ内の個別ユーザ機器に対する伝送電力制御命令セット、伝送電力制御命令、ＶｏＩＰ（Ｖｏｉｃｅ  ｏｖｅｒ  ＩＰ）の活性化指示情報などを搬送する。複数のＰＤＣＣＨが制御領域内で送信され得る。ユーザ機器は複数のＰＤＣＣＨをモニタすることができる。ＰＤＣＣＨは１つ又は複数の連続した制御チャネル要素（ｃｏｎｔｒｏｌ  ｃｈａｎｎｅｌ  ｅｌｅｍｅｎｔ；ＣＣＥ）の集合（ａｇｇｒｅｇａｔｉｏｎ）上で送信される。ＣＣＥは、ＰＤＣＣＨに無線チャネル状態に基づくコーディングレートを提供するために用いられる論理的割り当てユニットである。ＣＣＥは、複数のリソース要素グループ（ｒｅｓｏｕｒｃｅ  ｅｌｅｍｅｎｔ  ｇｒｏｕｐ；ＲＥＧ）に対応する。ＰＤＣＣＨのフォーマット及びＰＤＣＣＨビットの個数はＣＣＥの個数によって決定される。基地局はユーザ機器に送信されるＤＣＩによってＰＤＣＣＨフォーマットを決定し、制御情報にＣＲＣ（ｃｙｃｌｉｃ  ｒｅｄｕｎｄａｎｃｙ  ｃｈｅｃｋ）を付加する。ＣＲＣはＰＤＣＣＨの所有者又は使用目的によって識別子（例、ＲＮＴＩ（ｒａｄｉｏ  ｎｅｔｗｏｒｋ  ｔｅｍｐｏｒａｒｙ  ｉｄｅｎｔｉｆｉｅｒ））でマスクされる。例えば、ＰＤＣＣＨが特定ユーザ機器のためのものであれば、当該ユーザ機器の識別子（例、ｃｅｌｌ−ＲＮＴＩ（Ｃ−ＲＮＴＩ））をＣＲＣにマスクすることができる。ＰＤＣＣＨがページングメッセージのためのものであれば、ページング識別子（例、ｐａｇｉｎｇ−ＲＮＴＩ（Ｐ−ＲＮＴＩ））をＣＲＣにマスクすることができる。ＰＤＣＣＨがシステム情報（より具体的に、システム情報ブロック（ＳＩＣ））のためのものであれば、ＳＩ−ＲＮＴＩ（ｓｙｓｔｅｍ  Ｉｎｆｏｒｍａｔｉｏｎ  ＲＮＴＩ）をＣＲＣにマスクすることができる。ＰＤＣＣＨがランダム接続応答のためのものであれば、ＲＡ−ＲＮＴＩ（ｒａｎｄｏｍ  ａｃｃｅｓｓ−ＲＮＴＩ）をＣＲＣにマスクすることができる。
【００９８】
図１０には、ＬＴＥで用いられる上りリンクサブフレームの構造を例示する。
【００９９】
図１０を参照すると、上りリンクサブフレームは複数（例、２個）のスロットを含む。スロットはＣＰ長によって異なる数のＳＣ−ＦＤＭＡシンボルを含むことができる。上りリンクサブフレームは周波数領域でデータ領域と制御領域とに区別される。データ領域はＰＵＳＣＨを含み、音声などのデータ信号を送信するのに用いられる。制御領域はＰＵＣＣＨを含み、上りリンク制御情報（Ｕｐｌｉｎｋ  Ｃｏｎｔｒｏｌ  Ｉｎｆｏｒｍａｔｉｏｎ；ＵＣＩ）を送信するのに用いられる。ＰＵＣＣＨは周波数軸でデータ領域の両端部に位置しているＲＢ対（ＲＢ  ｐａｉｒ）を含み、スロットを境界にホップする。
【０１００】
ＰＵＣＣＨを次の制御情報を送信するために用いることができる。
【０１０１】
−  ＳＲ（Ｓｃｈｅｄｕｌｉｎｇ  Ｒｅｑｕｅｓｔ）：上りリンクＵＬ−ＳＣＨリソースを要求するために用いる情報である。ＯＯＫ（Ｏｎ−Ｏｆｆ  Ｋｅｙｉｎｇ）方式で送信される。
【０１０２】
−  ＨＡＲＱ  ＡＣＫ／ＮＡＣＫ：ＰＤＳＣＨ上の下りリンクデータパケットに対する応答信号である。下りリンクデータパケットの受信に成功したか否かを示す。単一下りリンクコードワードに対する応答として１ビットのＡＣＫ／ＮＡＣＫが送信され、２つの下りリンクコードワードに対する応答として２ビットのＡＣＫ／ＮＡＣＫが送信される。
【０１０３】
−  ＣＳＩ（Ｃｈａｎｎｅｌ  Ｓｔａｔｅ  Ｉｎｆｏｒｍａｔｉｏｎ）：下りリンクチャネルに対するフィードバック情報である。ＣＳＩはＣＱＩ（Ｃｈａｎｎｅｌ  Ｑｕａｌｉｔｙ  Ｉｎｄｉｃａｔｏｒ）を含み、ＭＩＭＯ（Ｍｕｌｔｉｐｌｅ  Ｉｎｐｕｔ  Ｍｕｌｔｉｐｌｅ  Ｏｕｔｐｕｔ）関連フィードバック情報は、ＲＩ（Ｒａｎｋ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＰＴＩ（Ｐｒｅｃｏｄｉｎｇ  Ｔｙｐｅ  Ｉｎｄｉｃａｔｏｒ）などを含む。サブフレーム当たり２０ビットが用いられる。
【０１０４】
ユーザ機器がサブフレームで伝送可能な制御情報（ＵＣＩ）の量は、制御情報伝送に使用可能なＳＣ−ＦＤＭＡの個数に依存する。制御情報伝送に使用可能なＳＣ−ＦＤＭＡは、サブフレームにおいて参照信号の伝送のためのＳＣ−ＦＤＭＡシンボルを除いた残りのＳＣ−ＦＤＭＡシンボルを意味し、ＳＲＳ（Ｓｏｕｎｄｉｎｇ  Ｒｅｆｅｒｅｎｃｅ  Ｓｉｇｎａｌ）が設定されたサブフレームの場合、サブフレームの最後のＳＣ−ＦＤＭＡシンボルも除外される。参照信号はＰＵＣＣＨのコヒーレント検出に用いられる。
【０１０５】
以下ではＤ２Ｄ通信（ＵＥ−ｔｏ−ＵＥ  Ｃｏｍｍｕｎｉｃａｔｉｏｎ）について説明する。
【０１０６】
Ｄ２Ｄ通信方式は、ネットワーク／コーディネーションステーション（例えば、基地局）が介入する方式と、そうでない方式とに大別される。
【０１０７】
図１１を参照すると、図１１（ａ）では、制御信号（例えば、ｇｒａｎｔ  ｍｅｓｓａｇｅ）、ＨＡＲＱ、チャネル状態情報（Ｃｈａｎｎｅｌ  Ｓｔａｔｅ  Ｉｎｆｏｒｍａｔｉｏｎ）などの送受信にはネットワーク／コーディネーションステーションが介入し、Ｄ２Ｄ通信を行う端末の間にはデータ送受信だけが行われる方式を示している。また、図１１（ｂ）では、ネットワークは最小限の情報（例えば、当該セルで使用可能なＤ２Ｄ接続（ｃｏｎｎｅｃｔｉｏｎ）情報など）だけを提供し、Ｄ２Ｄ通信を行う端末同士がリンクを形成してデータ送受信を行う方式を示している。
【０１０８】
本発明では、図１２に示すように、ＵＥが他のＵＥと無線チャネルを用いて直接通信（以下、“Ｄｅｖｉｃｅ−ｔｏ−Ｄｅｖｉｃｅ（Ｄ２Ｄ）通信”）を行うとき、当該Ｄ２Ｄ通信関連同期信号（すなわち、“Ｄ２Ｄ  Ｓｙｎｃｈｒｏｎｉｚａｔｉｏｎ  Ｓｉｇｎａｌ（Ｄ２ＤＳＳ）”）（及び／又は物理同期チャネル（すなわち、“Ｐｈｙｓｉｃａｌ  Ｄ２Ｄ  Ｓｙｎｃｈｒｏｎｉｚａｔｉｏｎ  Ｃｈａｎｎｅｌ（ＰＤ２ＤＳＣＨ）”））の周期を設定する方法を提案する。ここで、ＵＥはユーザの端末を意味するが、ｅＮＢのようなネットワーク装備がＵＥ同士の通信方式にしたがって信号を送／受信する場合には、同様に、一種のＵＥと見なされて本発明が適用されてもよい。さらに、本発明におけるＤ２ＤＳＳは、ＰＳＳＳ（Ｐｒｉｍａｒｙ  Ｓｉｄｅｌｉｎｋ  Ｓｙｎｃｈｒｏｎｉｚａｔｉｏｎ  Ｓｉｇｎａｌ）或いはＳＳＳＳ（Ｓｅｃｏｎｄａｒｙ  Ｓｉｄｅｌｉｎｋ  Ｓｙｎｃｈｒｏｎｉｚａｔｉｏｎ  Ｓｉｇｎａｌ）のうち少なくとも一つを表すことができるが、以下では説明の便宜のためにＤ２ＤＳＳと総称する。
【０１０９】
また、本発明におけるＰＤ２ＤＳＣＨはＰＳＢＣＨ（Ｐｈｙｓｉｃａｌ  Ｓｉｄｅｌｉｎｋ  Ｂｒｏａｄｃａｓｔ  Ｃｈａｎｎｅｌ）と表すことができる。したがって、ＰＤ２ＤＳＣＨは、端末が上記Ｄ２ＤＳＳを送信するために必要な情報、すなわち、同期参照（ｓｙｎｃｈｒｏｎｉｚａｔｉｏｎ  ｒｅｆｅｒｅｎｃｅ）として動作する情報を送信することができる。この同期参照は、Ｄ２Ｄ通信のための帯域幅、ＴＤＤ−設定、Ｄ２ＤＳＳ或いはＤ２ＤＳＣＨが送信されるフレームナンバー、Ｄ２ＤＳＳ或いはＤ２ＤＳＣＨが送信されるサブフレームナンバー、ネットワークカバレッジにＵＥが属しているか否かなどを含むことができる。
【０１１０】
以下では、説明の便宜のために、３ＧＰＰ  ＬＴＥシステムに基づいて本発明を説明する。しかし、本発明が適用されるシステムの範囲は、３ＧＰＰ  ＬＴＥシステムに限定されず、他のシステムにも拡張可能である。
【０１１１】
さらに、本発明の実施例は、ｉ）Ｄ２Ｄ通信に参加する一部のＤ２Ｄ  ＵＥはネットワークのカバレッジ内にあり、残りのＤ２Ｄ  ＵＥはネットワークのカバレッジ外にある場合（Ｄ２Ｄ  Ｄｉｓｃｏｖｅｒｙ／Ｃｏｍｍｕｎｉｃａｔｉｏｎ  ｏｆ  Ｐａｒｔｉａｌ  Ｎｅｔｗｏｒｋ  Ｃｏｖｅｒａｇｅ）、及び／又はii）Ｄ２Ｄ通信に参加するＤ２Ｄ  ＵＥがいずれもネットワークのカバレッジ内にある場合（Ｄ２Ｄ  Ｄｉｓｃｏｖｅｒｙ／Ｃｏｍｍｕｎｉｃａｔｉｏｎ  Ｗｉｔｈｉｎ  Ｎｅｔｗｏｒｋ  Ｃｏｖｅｒａｇｅ）、及び／又はiii）Ｄ２Ｄ通信に参加するＤ２Ｄ  ＵＥがいずれもネットワークのカバレッジ外にある場合（Ｄ２Ｄ  Ｄｉｓｃｏｖｅｒｙ／Ｃｏｍｍｕｎｉｃａｔｉｏｎ  Ｏｕｔｓｉｄｅ  Ｎｅｔｗｏｒｋ  Ｃｏｖｅｒａｇｅ（ｆｏｒ  Ｐｕｂｌｉｃ  Ｓａｆｅｔｙ  Ｏｎｌｙ）））、にのみ限定的に適用されるように設定することができる。
【０１１２】
本発明に関する実施例として、Ｄ２ＤＳＳ周期（以下、“Ｄ２ＤＳＳ周期（すなわち、Ｄ２ＤＳＳ＿ＰＥＲ）”）は、以下、オプション＃１〜オプション＃４の少なくとも一部（一部或いは全て）によって定義されるように設定することができる。さらに、本発明の実施例は、Ｄ２ＤＳＳの他、ｉ）ＰＤ２ＤＳＣＨ、ii）Ｄ２Ｄデータチャネル、iii）ＳＡチャネル、或いはiv）ディスカバリチャネル（以下、“ＤＩＳ＿ＳＩＧ”）の少なくとも一つの周期設定にも拡張適用されてもよい。
【０１１３】
オプション＃１：本発明によれば、Ｄ２ＤＳＳ周期（Ｄ２ＤＳＳ＿ＰＥＲ）が設定可能性（ＣＯＮＦＩＧＵＲＡＢＩＬＩＴＹ）を有するように定義することができる。ここで、少なくとも、ｉ）ＳＡチャネル、ii）Ｄ２Ｄデータチャネル、或いはiii）ＤＩＳ＿ＳＩＧのうち少なくとも一つの周期候補（Ｃａｎｄｉｄａｔｅ）値のいずれか一つ（例えば、４０ｍｓ或いは８０ｍｓ）を候補値として有するように定義することもできる。更に他の例として、ＤＩＳ＿ＳＩＧの周期候補値も候補値として有するように定義することもできる。
【０１１４】
オプション＃２：Ｄ２Ｄ通信（Ｄ２Ｄ  ＣＯＭＭＵＮＩＣＡＴＩＯＮ）を行う時には、最小のＤ２ＤＳＳ周期（Ｄ２ＤＳＳ＿ＰＥＲ）が設定（Ｃｏｎｆｉｇｕｒａｔｉｏｎ）されるとＤ２Ｄ  ＵＥが仮定するように定義することができる。
【０１１５】
ここで、オプション＃２に従う場合、最小Ｄ２ＤＳＳ周期より長いＤ２ＤＳＳ周期でＤ２Ｄ通信が行われる場合はないとも判断することができる。また、このような判断は少なくともカバレッジ外（Ｏｕｔ−Ｏｆ−Ｃｏｖｅｒａｇｅ）のＤ２Ｄ  ＵＥ（以下、ＯＯＣ  Ｄ２Ｄ  ＵＥ）に適用されるように定義することもできる。なぜなら、ＯＯＣ  Ｄ２Ｄ  ＵＥの場合、基地局（ｅＮＢ）からの同期化参照（Ｓｙｎｃｈｒｏｎｉｚａｔｉｏｎ  Ｒｅｆｅｒｅｎｃｅ）がないので、最小Ｄ２ＤＳＳ周期以上になると、Ｄ２Ｄ通信性能に問題が発生しうるためである。
【０１１６】
オプション＃３：ＰＤ２ＤＳＣＨは少なくともＤ２ＤＳＳ周期（Ｄ２ＤＳＳ＿ＰＥＲ）が最小値と定義されたり仮定される場合に送信されるように定義することができる。ここで、ＰＤ２ＤＳＣＨが一つのサブフレームでＤ２ＤＳＳと共に送信されたり、Ｄ２ＤＳＳ無しで送信され得るが、このように制限的に解釈されてはならないだろう。
【０１１７】
また、最小Ｄ２ＤＳＳ周期ではなくより長いＤ２ＤＳＳ周期の場合、ＰＤ２ＤＳＣＨ伝送は省略されてもよい。ここで、最小Ｄ２ＤＳＳ周期ではなくより長いＤ２ＤＳＳ周期はＤＩＳ＿ＳＩＧ或いはイン−ネットワーク（Ｉｎ−Ｎｅｔｗｏｒｋ）Ｄ２Ｄ通信でのみ用いられるはずであり、このような場合に、ＰＤ２ＤＳＣＨの情報はネットワークシグナリング（Ｎｅｔｗｏｒｋ  Ｓｉｇｎａｌｉｎｇ）で送信され得るためである。
【０１１８】
オプション＃４：Ｄ２ＤＳＳ周期のが最小周期値を有するときには、１つの周期内に複数個のＤ２ＤＳＳリソース（以下、“Ｄ２ＤＳＳ＿ＲＥＳ”）が存在するように定義することもできる。ここで、（隣接した）２つのＤ２ＤＳＳリソースの間に事前に定義された（或いは、シグナルされた）ギャップ（ＧＡＰ）が存在するように定義されてもよい。これに関する詳細な説明は図１３を参照して後述する。
【０１１９】
また、最小Ｄ２ＤＳＳ周期ではなくより長いＤ２ＤＳＳ周期のＤ２ＤＳＳの場合、イン−カバレッジ（Ｉｎ−Ｃｏｖｅｒａｇｅ）Ｄ２Ｄ  ＵＥを対象にしてＤ２ＤＳＳ＿ＲＥＳをネットワークシグナリングで指定できるため、１つのＤ２ＤＳＳ周期に１つのＤ２ＤＳＳ＿ＲＥＳのみが存在するように設定することもできる。
【０１２０】
さらに、以下では、本発明に係るＤ２ＤＳＳ伝送方法及びリソース設定についてより具体的に説明する。Ｄ２Ｄ同期化のためのリソース割り当ては、どのＵＥがどのリソース上でＤ２ＤＳＳを送信するかを決定することによってなされる。
【０１２１】
まず、Ｄ２ＤＳＳを送信するＵＥを決定する方案について説明する。
【０１２２】
ｅＮＢは、ＲＲＣ＿Ｃｏｎｎｅｃｔｅｄ  ＵＥにタイプ２ＢディスカバリメッセージのためのＤ２ＤＳＳを送信するように指示することができる。また、ｅＮＢはタイプ１ディスカバリのために、専用（ｄｅｄｉｃａｔｅｄ）ＲＲＣシグナリングで使用するＤ２ＤＳＳシーケンスをＲＲＣ＿ｃｏｎｎｃｅｔｅｄ  ＵＥに知らせることもできる。したがって、本発明では、特定ＵＥによる特定Ｄ２ＤＳＳ伝送を設定するために基地局によってＵＥ−専用ＲＲＣシグナリングが支援されてもよい。
【０１２３】
さらに、Ｄ２ＤＳＳシーケンス送信がＳＩＢを用いて設定されるとき、Ｄ２ＤＳＳ伝送ＵＥを決定する方法について説明する。本発明ではカバレッジ外（以下、Ｏｕｔ−ｏｆ−ｃｏｖｅｒａｇｅ）ＵＥのためのＤ２ＤＳＳ信号強度に基づく方案を説明する。
【０１２４】
すなわち、カバレッジ内（以下、ｉｎ−ｃｏｖｅｒａｇｅ）内のＵＥのための同期参照として用いられるＤ２ＤＳＳは常にサービングセルのＰＳＳ／ＳＳＳであってもよい。したがって、“ＵＥから受信される全てのＤ２ＤＳＳの受信信号強度がＸ  ｄＢｍ以下である場合、カバレッジ外のＵＥはＤ２Ｄ同期ソースになり得る”ことを拡張して、本発明では“サービングセルのＲＳＲＰがＸ  ｄＢｍ以下である場合、カバレッジ内のＵＥはＤ２Ｄ同期ソースになり得る”ことを提案する。
【０１２５】
ここで、閾値Ｘ  ｄＢＭをｅＮＢが設定することができ、これは、Ｄ２ＤＳＳを送信するセルエッジ（ｃｅｌｌ  ｅｄｇｅ）ＵＥに対してのみ設定されてもよい。
【０１２６】
カバレッジ外のＵＥと関連して許容可能（ａｃｃｅｐｔａｂｌｅ）なレベルの同期参照の個数を維持するために、Ｄ２ＤＳＳを検出しないＵＥに以下のような条件を適用することができる。
【０１２７】
カバレッジ内のＵＥが仮に、ｉ）ｅＮＢによって専用（ｄｅｄｉｃａｔｅｄ）ＲＲＣシグナリングでＤ２Ｄシーケンスを送信するように設定された場合、或いはii）Ｄ２ＤＳＳシーケンスがＳＩＢを用いて設定され、サービングセルのＲＳＲＰがサービングセルによって設定された閾値より低い場合、のうち少なくとも一つの場合であれば、特定Ｄ２ＤＳＳシーケンスを送信することができる。
【０１２８】
さらに、Ｄ２ＤＳＳ伝送のためのリソース決定方法について説明する。
【０１２９】
カバレッジ外のＵＥは、Ｄ２ＤＳＳの送信／受信のために周期的に設定された（或いは、現れる）同期リソースを用いる。すなわち、部分カバレッジシナリオ（ｐａｒｔｉａｌ  ｃｏｖｅｒａｇｅ  ｓｃｅｎａｒｉｏ）上でカバレッジ外のＵＥは、カバレッジ内のＵＥから送信されるＤ２ＤＳＳに時々同期化を行う必要がある。これは、カバレッジ外のＵＥのためにあらかじめ設定されたＤ２Ｄ同期リソースは、ネットワークにとってはＤ２Ｄサブフレームでのみ現れることを意味する。
【０１３０】
ＴＤＤの場合、仮にサブフレーム＃ｎが上りリンクサブフレームであれば、サブフレーム＃ｎ＋１０も同様に上りリンクサブフレームとして保障される。したがって、Ｄ２Ｄ同期リソース構造も、２つの同期リソース間の間隔は１０ｍｓの倍数と構成されることが好ましい。
【０１３１】
図１３は、同期リソースの周期が４０ｍｓであり、４個のリソースが１０ｍｓの間隔で１つの周期内に現れる場合を示している。図１３で、カバレッジ内のＵＥが上りリンク−下りリンク設定＃１を有するＴＤＤセルと接続されたとき、４０ｍｓの周期を有する。ここで、Ｄ２ＤＳＳ伝送が設定されたサブフレーム＃３は、同期リソース＃０と表す。カバレッジ外のＵＥがカバレッジ内のＵＥから送信されたＤ２ＤＳＳと同期化された場合、Ｄ２ＤＳＳを、次（ｎｅｘｔ）の同期リソース＃１を用いて、カバレッジ内のＵＥからＤ２ＤＳＳを受信できなかった他のカバレッジ外のＵＥのために送信する。ここで、カバレッジ外のＵＥからのＤ２ＤＳＳ伝送は常に上りリンクサブフレームであるサブフレーム＃３で発生する。したがって、カバレッジ内のＵＥの下りリンク受信はＤ２ＤＳＳによって干渉を受けることがない。
【０１３２】
これを考慮して、本発明によれば、Ｄ２Ｄ同期リソースが１０ｍｓの間隔で現れるように設定することができる。
【０１３３】
さらに、Ｄ２ＤＳＳ伝送リソースとＤ２ＤＳＳ受信リソース間のタイミングオフセットを説明する。ＰＳＳ／ＳＳＳ或いは他のＵＥのＤ２ＳＳから伝送タイミングを取得できなかったＵＥである独立した同期化ソース（ｉｎｄｅｐｅｎｄｅｎｔ  ｓｙｎｃｈｒｏｎｉｚａｔｉｏｎ  ｓｏｕｒｃｅ；ＩＳＳ）のために、Ｄ２ＤＳＳ伝送リソースはランダムに選択されてもよい。この時、ＩＳＳの近接サービス（ｐｒｏｘｉｍｉｔｙ）中にＷＡＮ或いはＤ２Ｄが行われず、リソース選択は性能に影響を与えない。
【０１３４】
さらに、他のＵＥから送信されたＤ２ＤＳＳと同期化されたＵＥに対して、潜在的なＤ２ＤＳＳリソース衝突を防止するために、ｎｏｎ−ＩＳＳ  ＵＥに対してＤ２ＤＳＳ伝送のための決定的リソース選択（ｄｅｔｅｒｍｉｎｉｓｔｉｃ  ｒｅｓｏｕｒｃｅ  ｓｅｌｅｃｔｉｏｎ）が適用されてもよい。
【０１３５】
図１４は、決定的リソース選択が適用される場合を示す。図１４でそれぞれの周期上に４個の同期リソースが存在する。そして、ＵＥ１はｅＮＢの設定によるリソース＃１上でＤ２ＤＳＳを伝送してもよく、ＩＳＳになってもよい。ＵＥ２はＵＥ１からリソース＃１上でＤ２ＤＳＳを受信し、自身の伝送タイミング参照として選択する。同時に、ＵＥ２はリソース＃２上でＤ２ＤＳＳを送信する。
【０１３６】
その後、ＵＥ２と同期化されたＵＥ３は自身のＤ２ＤＳＳを送信する。仮に、ＵＥ３が、既にＵＥ１のＤ２ＤＳＳ伝送のために用いられたリソース＃１を選択する場合、これらのＤ２ＤＳＳはＵＥ２で互いに衝突し、これはＵＥ２の同期化性能を減少させる。
【０１３７】
したがって、同期リソース衝突を回避するための適切な方案が要求され、最も単純な方案は、同期化参照が送信される同期リソースの次のリソースを用いる方案である。
【０１３８】
言い換えると、仮にリソース＃ｎで受信されたＤ２ＤＳＳと同期化された場合、ＵＥは同期化ソースになった時、Ｄ２ＤＳＳ伝送のためにリソース＃（（ｎ＋１）ｍｏｄ  Ｎ）を選択することができる。ここで、Ｎは、周期内の同期リソースの数を表す。
【０１３９】
このような動作は、同期化手順が階層レベル（ｓｔｒａｔｕｍ  ｌｅｖｅｌ）を用いて階層的（ｈｉｅｒａｒｃｈｉｃａｌ）に行われるか否か、或いは階層レベルを利用せずに平面的（ｆｌａｔ）に行われるか否かから独立している。
【０１４０】
また、Ｄ２ＤＳＳ選択過程はネットワークカバレッジ外のＵＥに対してのみ必要であってもよい。なぜなら、ｅＮＢは、カバレッジ内のＵＥに対してはＤ２ＤＳＳ伝送のためのリソースを指示するためである。
【０１４１】
カバレッジ外のＵＥがリソース＃ｎで受信したＤ２ＤＳＳと同期化された場合、カバレッジ外のＵＥは、リソース＃（（ｎ＋１）ｍｏｄ  Ｎ）をＤ２ＤＳＳ伝送リソースとして選択し、ここで、Ｎは、１つの周期内の同期リソースの個数を意味する。
【０１４２】
上述した本発明の実施例／説明／規則をそれぞれ、一つの独立した実施例として解釈／適用／実行することができる。また、上述した本発明の実施例を独立して具現することもできるが、一部の実施例の組み合わせ／併合の形態で具現してもよい。
【０１４３】
また、上述した本発明の実施例は、ＴＤＤシステムの場合（例えば、ＴＤＤシステム下の基地局カバレッジ内にあるＤ２Ｄ  ＵＥが、ＴＤＤシステム下の基地局カバレッジ外にあるＤ２Ｄ  ＵＥにＤ２ＤＳＳを送信する場合）に限って適用されるように設定することができる。
【０１４４】
また、上述した本発明の実施例は、ｉ）Ｄ２ＤＳＳ周期設定、或いはii）ＰＤ２ＤＳＣＨ周期設定、或いはiii）Ｄ２Ｄデータチャネル周期設定、或いはiv）ＳＡチャネル周期設定、或いはｖ）ＤＩＳ＿ＳＩＧ周期設定のうち少なくとも一つにのみ限定的に適用されるように設定してもよい。
【０１４５】
図１５には、本発明の一実施例に適用可能な基地局及び端末を例示する。
【０１４６】
無線通信システムにリレーが含まれる場合、バックホールリンクで通信は基地局とリレーとの間に行われ、アクセスリンクで通信はリレーと端末との間に行われる。したがって、図面に例示された基地局又は端末は状況に応じてリレーに置き換えてもよい。
【０１４７】
図１５を参照すると、無線通信システムは、基地局（ＢＳ）１１０及び端末（ＵＥ）１２０を含む。基地局１１０は、プロセッサ１１２、メモリ１１４及び無線周波数（Ｒａｄｉｏ  Ｆｒｅｑｕｅｎｃｙ；ＲＦ）ユニット１１６を含む。プロセッサ１１２は本発明で提案した手順及び／又は方法を具現するように構成することができる。メモリ１１４はプロセッサ１１２と接続してプロセッサ１１２の動作と関連した様々な情報を保存する。ＲＦユニット１１６はプロセッサ１１２と連結接続して無線信号を送信及び／又は受信する。端末１２０は、プロセッサ１２２、メモリ１２４及びＲＦユニット１２６を含む。プロセッサ１２２は本発明で提案した手順及び／又は方法を具現するように構成することができる。メモリ１２４はプロセッサ１２２と接続してプロセッサ１２２の動作と関連した様々な情報を保存する。ＲＦユニット１２６はプロセッサ１２２と接続して無線信号を送信及び／又は受信する。基地局１１０及び／又は端末１２０は単一アンテナ又は多重アンテナを有することができる。
【０１４８】
以上に説明した実施例は本発明の構成要素及び特徴が所定の形態で結合されたものである。各構成要素又は特徴は、別の明示的言及がない限り、選択的なものとして考慮しなければならない。各構成要素又は特徴を他の構成要素や特徴と結合しない形態で実施することができる。また、一部の構成要素及び／又は特徴を結合して本発明の実施例を構成することもできる。本発明の実施例で説明される動作の順序は変更してもよい。ある実施例の一部の構成や特徴は他の実施例に含まれてもよく、又は他の実施例の対応する構成又は特徴にとって代わってもよい。特許請求の範囲で明示的な引用関係にない請求項を結合して実施例を構成したり、出願後の補正によって新しい請求項として含め得ることは明らかである。
【０１４９】
本文書で基地局によって行われると説明された特定の動作は、場合によっては、その上位ノード（ｕｐｐｅｒ  ｎｏｄｅ）によって行われてもよい。すなわち、基地局を含む複数のネットワークノード（ｎｅｔｗｏｒｋ  ｎｏｄｅｓ）で構成されるネットワークにおいて端末との通信のために行われる様々な動作は基地局又は基地局以外のネットワークノードによって行われ得ることは明らかである。基地局は固定局（ｆｉｘｅｄ  ｓｔａｔｉｏｎ）、Ｎｏｄｅ  Ｂ、ｅＮｏｄｅＢ（ｅＮＢ）、アクセスポイント（ａｃｃｅｓｓ  ｐｏｉｎｔ）などの用語に言い換えてもよい。
【０１５０】
本発明に係る実施例を様々な手段、例えば、ハードウェア、ファームウェア（ｆｉｒｍｗａｒｅ）、ソフトウェア又はそれらの結合などによって具現することができる。ハードウェアによる具現の場合、本発明の一実施例は、１つ又はそれ以上のＡＳＩＣ（ａｐｐｌｉｃａｔｉｏｎ  ｓｐｅｃｉｆｉｃ  ｉｎｔｅｇｒａｔｅｄ  ｃｉｒｃｕｉｔ）、ＤＳＰ（ｄｉｇｉｔａｌ  ｓｉｇｎａｌ  ｐｒｏｃｅｓｓｏｒ）、ＤＳＰＤ（ｄｉｇｉｔａｌ  ｓｉｇｎａｌ  ｐｒｏｃｅｓｓｉｎｇ  ｄｅｖｉｃｅ）、ＰＬＤ（ｐｒｏｇｒａｍｍａｂｌｅ  ｌｏｇｉｃ  ｄｅｖｉｃｅ）、ＦＰＧＡ（ｆｉｅｌｄ  ｐｒｏｇｒａｍｍａｂｌｅ  ｇａｔｅ  ａｒｒａｙ）、プロセッサ、コントローラ、マイクロコントローラ、マイクロプロセッサなどによって具現されてもよい。
【０１５１】
ファームウェアやソフトウェアによる具現の場合、本発明の一実施例は、以上で説明された機能又は動作を実行するモジュール、手順、関数などの形態として具現することができる。ソフトウェアコードはメモリユニットに保存されてプロセッサによって駆動され得る。
【０１５２】
上記メモリユニットは上記プロセッサの内部又は外部に位置して、既に公知の様々な手段によって上記プロセッサとデータを交換することができる。
【０１５３】
本発明は、本発明の特徴から逸脱しない範囲で他の特定の形態として具体化し得ることは当業者にとって自明である。したがって、上記の詳細な説明はいずれの面においても制限的に解釈されてはならず、例示的なものとして考慮しなければならない。本発明の範囲は、添付する請求項の合理的解釈によって決定しなければならず、本発明の同等範囲内における変更はいずれも本発明の範囲に含まれる。
【産業上の利用可能性】
【０１５４】
上述したような無線通信システムにおいてＤ２Ｄ（Ｄｅｖｉｃｅ−ｔｏ−Ｄｅｖｉｃｅ）通信のための同期信号送信方法及びそのための装置が３ＧＰＰ  ＬＴＥシステムに適用される例を中心に説明したが、３ＧＰＰ  ＬＴＥシステムの他、様々な無線通信システムにも適用することができる。
【図１】
0006490797.tif 000018
【図２】
0006490797.tif 000019
【図３】
0006490797.tif 000020
【図４】
0006490797.tif 000021
【図５】
0006490797.tif 000022
【図６】
0006490797.tif 000023
【図７】
0006490797.tif 000024
【図８】
0006490797.tif 000025
【図９】
0006490797.tif 000026
【図１０】
0006490797.tif 000027
【図１１】
0006490797.tif 000028
【図１２】
0006490797.tif 000029
【図１３】
0006490797.tif 000030
【図１４】
0006490797.tif 000031
【図１５】
0006490797.tif 000032